(57)【特許請求の範囲】
【請求項１】
筐体の前面開口部に開閉可能に設ける扉の遊端側の上下部に、筐体の上下框部に係脱するラッチを設け、引手とシャフトで連動させてラッチを回動してなる扉におけるラッチシャフトの軸受装置であって、
前記シャフトを扉の背面側の縁部に沿って回転可能に支持する軸受部材を、該シャフトに平行な扉の側縁部に、該シャフトの長手方向への変位を規制した状態で係合し、
前記扉は、側部に内側に折り曲げられた部分を有し、当該折り曲げられた部分の上端と下端との間には、前記軸受部材が係合する凹部が形成されている、
ことを特徴とする扉におけるラッチシャフトの軸受装置。
【請求項２】
筐体の前面開口部に開閉可能に設ける扉の遊端側の上下部に、筐体の上下框部に係脱するラッチを設け、引手とシャフトで連動させてラッチを回動してなる扉におけるラッチシャフトの軸受装置であって、
前記シャフトを扉の背面側の縁部に沿って回転可能に支持する軸受部材を、該シャフトに平行な扉の側縁部に、該シャフトの長手方向への変位を規制した状態で係合し、
前記軸受部材は、扉の上又は下縁部に係合する水平部と、扉の側縁部に係合する垂直部を有する略Ｌ字状であり、
扉の側縁部に軸受部材の垂直部を噛合させて上下方向の変位を規制してなる、
扉におけるラッチシャフトの軸受装置。
【請求項３】
前記扉は、表面板の周囲を背面側に折曲して縁板を形成するとともに、縁板の後縁を直角に折曲して補強板を形成し、更に少なくとも側部の補強板の内縁を表面板に向かって折曲して折曲板を形成した構造であり、
前記扉の側縁部の折曲板に係合凹部を形成し、
前記軸受部材の垂直部に該係合凹部に係合する係合凸部を形成してなる
請求項２記載の扉におけるラッチシャフトの軸受装置。
【請求項４】
前記軸受部材の水平部の内部に側方へ開口した収容空間を形成し、
該収容空間に対応する上下板部に前記ラッチの基部の上下に突設した軸部を回動可能に係合する軸受孔を形成し、
前記ラッチの基部を前記収容空間に位置させるとともに、
前記軸部を軸受孔に係合させた状態で、
前記軸部に貫通形成した連結孔に前記シャフトの端部を供回り不能に嵌挿してなる
請求項２又は３記載の扉におけるラッチシャフトの軸受装置。
【請求項５】
前記扉の側縁部の折曲板に、
複数の係合凹部を上下に形成するとともに、
前記軸受部材の垂直部に各係合凹部に左右方向から係合する複数の係合凸部を形成し、
前記軸受部材の水平部の先端部に前記扉の上下縁部の前記補強板に形成した係合穴に係合する弾性爪を突設してなる
請求項３記載の扉におけるラッチシャフトの軸受装置。
【発明の詳細な説明】
【技術分野】
【０００１】
本発明は、扉におけるラッチシャフトの軸受装置に係わり、更に詳しくは扉のコーナー部に取付けて縁部の変形を防止する扉におけるラッチシャフトの軸受装置に関するものである。
【背景技術】
【０００２】
従来から、キャビネット筐体の前面開口部に開閉扉を回動開閉可能に取付け、該扉の遊端側の上下部背面に筐体の上下框部の係合孔に係脱するラッチを設け、該ラッチを扉の表面側に設けた引手の回動に対して扉の背面側に回転可能に設けたシャフトで連動させる構造のキャビネットは各種提供されている。
【０００３】
ここで、前記扉の構造として、表面板の周囲を背面側に折曲して縁板を形成するとともに、縁板の後縁を直角に折曲して補強板を形成し、更に補強板の内縁を表面板に向かって折曲して折曲板を形成した構造のものが一般的である。扉の遊端側の上下端部の背面に両端に設けた軸受部材に、ラッチを回転不能に嵌挿したシャフトの両端部を回転可能に支持していた。軸受部材としては、表面板の背面に金属製の軸受金具をスポット溶接した構造のものもあるが、組み立て施工性の向上を図るために、合成樹脂製の軸受部材を前記扉の上下縁部構造を利用して嵌着するものも提供されている。
【０００４】
特許文献１には、合成樹脂製のラッチ軸受部材の内部にラッチ部材の基部を回動可能に保持し、該ラッチ部材の基部には角棒からなるシャフトの端部を嵌挿し、該ラッチ軸受部材を、扉の上下縁部に表面板に向けて形成した切起し片に係合させて取付ける構造が記載されている。また、特許文献２には、ラッチ受け具の内部にラッチの基部を回動可能に保持するとともに、シャフトの端部に嵌挿したカムを内部に回転可能に保持し、前記カムとラッチの基部を連動板で連動させた構造であるが、扉の上下縁部の補強板に形成した係合孔にラッチ受け具に形成した係止凸部を係止して取付ける構造が記載されている。
【０００５】
つまり、従来は扉の上下縁部を利用して軸受部材を取付けるものであるが、前記扉の上下のラッチが筐体の上下框部の係合孔に係合した状態、つまり扉を閉じた状態で地震によって筐体が左右に変形すると、ラッチは筐体の框部の変位に追従して上下に変位するが、その変位の方向は剛性が高い扉が面内方向なので、扉の上下縁部に過大な応力が作用して該縁部が変形し、ラッチ軸受部材が外れて扉が開いてしまうといった問題があった。また、扉が開かないまでも、扉の上下縁部が変形することは、スムーズな扉の開閉に支障を来たすことを意味する。
【先行技術文献】
【特許文献】
【０００６】
【特許文献１】実公平３−４１５７３号公報
【特許文献２】実用新案登録第２５６９５２７号公報
【発明の概要】
【発明が解決しようとする課題】
【０００７】
そこで、本発明が前述の状況に鑑み、解決しようとするところは、筐体の前面開口部に開閉可能に設ける扉に、筐体の框部に係脱するラッチを設け、引手とシャフトで連動させてラッチを回動してなる扉におけるラッチシャフトの軸受装置において、前記ラッチが筐体の上下框部に係合した状態で地震によって筐体が変形しても、扉の上下縁部に過大の応力が作用しないようにした扉におけるラッチシャフトの軸受装置を提供する点にある。
【課題を解決するための手段】
【０００８】
本発明は、前述の課題解決のために、筐体の前面開口部に開閉可能に設ける扉の遊端側の上下部に、筐体の上下框部に係脱するラッチを設け、引手とシャフトで連動させてラッチを回動してなる扉におけるラッチシャフトの軸受装置であって、前記シャフトを扉の背面側の縁部に沿って回転可能に支持する軸受部材を、該シャフトに平行な扉の側縁部に、該シャフトの長手方向への変位を規制した状態で係合し、前記扉は、側部に内側に折り曲げられた部分を有し、当該折り曲げられた部分の上端と下端との間には、前記軸受部材が係合する凹部が形成されている、扉におけるラッチシャフトの軸受装置を構成した（請求項１）。
【０００９】
また本発明は、筐体の前面開口部に開閉可能に設ける扉の遊端側の上下部に、筐体の上下框部に係脱するラッチを設け、引手とシャフトで連動させてラッチを回動してなる扉におけるラッチシャフトの軸受装置であって、前記シャフトを扉の背面側の縁部に沿って回転可能に支持する軸受部材を、該シャフトに平行な扉の側縁部に、該シャフトの長手方向への変位を規制した状態で係合し、前記軸受部材は、扉の上又は下縁部に係合する水平部と、扉の側縁部に係合する垂直部を有する略Ｌ字状であり、扉の側縁部に軸受部材の垂直部を噛合させて上下方向の変位を規制してなる、扉におけるラッチシャフトの軸受装置を構成した（請求項２）。
【００１０】
そして、前記扉は、表面板の周囲を背面側に折曲して縁板を形成するとともに、縁板の後縁を直角に折曲して補強板を形成し、更に少なくとも側部の補強板の内縁を表面板に向かって折曲して折曲板を形成した構造であり、前記扉の側縁部の折曲板に係合凹部を形成し、前記軸受部材の垂直部に該係合凹部に係合する係合凸部を形成してなることが好ましい（請求項３）。
【００１１】
具体的には、前記軸受部材の水平部の内部に側方へ開口した収容空間を形成し、該収容空間に対応する上下板部に前記ラッチの基部の上下に突設した軸部を回動可能に係合する軸受孔を形成し、前記ラッチの基部を前記収容空間に位置させるとともに、前記軸部を軸受孔に係合させた状態で、前記軸部に貫通形成した連結孔に前記シャフトの端部を供回り不能に嵌挿してなるのである（請求項４）。
【００１２】
更に、前記扉の側縁部の折曲板に、複数の係合凹部を上下に形成するとともに、前記軸受部材の垂直部に各係合凹部に左右方向から係合する複数の係合凸部を形成し、前記軸受部材の水平部の先端部に前記扉の上下縁部の前記補強板に形成した係合穴に係合する弾性爪を突設してなるとより好ましい（請求項５）。
【発明の効果】
【００１３】
以上にしてなる請求項１に係る発明の扉におけるラッチシャフトの軸受装置は、筐体の前面開口部に開閉可能に設ける扉の遊端側の上下部に、筐体の上下框部に係脱するラッチを設け、引手とシャフトで連動させてラッチを回動してなる扉におけるラッチシャフトの軸受装置であって、前記シャフトを扉の背面側の縁部に沿って回転可能に支持する軸受部材を、該シャフトに平行な扉の側縁部に、該シャフトの長手方向への変位を規制した状態で係合し、前記扉は、側部に内側に折り曲げられた部分（１０）を有し、当該折り曲げられた部分の上端と下端との間には、前記軸受部材が係合する凹部（１８）が形成されているので、前記ラッチが筐体の上下框部に係合した状態で地震によって筐体が変形しても、シャフトの長手方向と交差する扉の縁部に過大の応力が作用しないようにでき、つまりラッチを介して軸受部材はシャフトの長手方向に応力を受けるが、軸受部材がシャフトに平行な扉の側縁部に係合しているので、シャフトの長手方向の変位が制限され、もってシャフトの長手方向と交差する扉の縁部に応力が伝達しないようにできる。
【００１４】
また請求項２に係る発明の扉におけるラッチシャフトの軸受装置は、筐体の前面開口部に開閉可能に設ける扉の遊端側の上下部に、筐体の上下框部に係脱するラッチを設け、引手とシャフトで連動させてラッチを回動してなる扉におけるラッチシャフトの軸受装置であって、前記シャフトを扉の背面側の縁部に沿って回転可能に支持する軸受部材を、該シャフトに平行な扉の側縁部に、該シャフトの長手方向への変位を規制した状態で係合し、前記軸受部材は、扉の上又は下縁部に係合する水平部と、扉の側縁部に係合する垂直部を有する略Ｌ字状であり、扉の側縁部に軸受部材の垂直部を噛合させて上下方向の変位を規制してなるので、前記ラッチが筐体の上下框部に係合した状態で地震によって筐体が変形しても、扉の上下縁部に過大の応力が作用しないようにでき、つまりラッチを介して軸受部材は上下方向に応力を受けるが、垂直部が扉の側縁部に噛合しているので、上下方向の変位が制限され、もって扉の上下縁部に応力が伝達しないようにできる。
【００１５】
請求項３によれば、前記扉は、表面板の周囲を背面側に折曲して縁板を形成するとともに、縁板の後縁を直角に折曲して補強板を形成し、更に少なくとも側部の補強板の内縁を表面板に向かって折曲して折曲板を形成した構造であり、前記扉の側縁部の折曲板に係合凹部を形成し、前記軸受部材の垂直部に該係合凹部に係合する係合凸部を形成してなるので、軸受部材を扉の厚さの中に収めた状態で、扉の背面コーナー部に係合させて取付けることができる。
【００１６】
請求項４によれば、前記軸受部材の水平部の内部に側方へ開口した収容空間を形成し、該収容空間に対応する上下板部に前記ラッチの基部の上下に突設した軸部を回動可能に係合する軸受孔を形成し、前記ラッチの基部を前記収容空間に位置させるとともに、前記軸部を軸受孔に係合させた状態で、前記軸部に貫通形成した連結孔に前記シャフトの端部を供回り不能に嵌挿してなるので、軸受部材の水平部の内部にラッチの基部を回動可能に受け入れるコンパクトな構成にでき、またシャフトの端部をラッチの軸部に貫通形成した連結孔に直接嵌挿するので、ガタツキのない回動状態となる。
【００１７】
請求項５によれば、前記扉の側縁部の折曲板に、複数の係合凹部を上下に形成するとともに、前記軸受部材の垂直部に各係合凹部に左右方向から係合する複数の係合凸部を形成し、前記軸受部材の水平部の先端部に前記扉の上下縁部の前記補強板に形成した係合穴に係合する弾性爪を突設してなるので、軸受部材の垂直部を扉の側縁部に左右方向から装着できるので、水平部を上下縁部に係合する作業が容易になり、また複数対の係合凹部と係合凸部の噛合状態が得られ、ラッチを介して軸受部材に加わる応力を分散して側縁部で受けることができ、もって側縁部の変形も防止できる。
【図面の簡単な説明】
【００１８】
【図１】本発明に係るキャビネットの斜視図である。
【図２】扉を開いた状態のキャビネットの斜視図である。
【図３】扉の背面側の斜視図である。
【図４】ラッチ受け部材と扉との関係を示す分解斜視図である。
【図５】ラッチ受け部材にラッチとシャフトを組み付ける状態を示した分解斜視図である。
【図６】ラッチ受け部材の表側の斜視図である。
【図７】ラッチ受け部材の裏側の斜視図である。
【図８】扉のコーナー部に取付けたラッチ受け部材で、シャフトとラッチを回動可能に装着した状態の部分斜視図である。
【発明を実施するための形態】
【００１９】
次に、添付図面に示した実施形態に基づき、本発明を更に詳細に説明する。図１及び２は本発明に係る開閉扉付きキャビネットを示し、図３は扉を示し、図４〜図８は本発明の詳細を示し、図中符号Ａはキャビネット、１は筐体、２は扉、３は引手、４はラッチ、５はシャフト、６は軸受部材をそれぞれ示している。
【００２０】
本発明のキャビネットＡは、筐体１の前面開口部に開閉可能に扉２，２を設け、該扉２の遊端側の上下部には、引手３に連動して筐体１の上下框部７，８に係脱するラッチ４，４を備えた構造である。そして、上下のラッチ４，４は、垂直に配置したシャフト５によって、前記引手３の回転に応じて回転するのである。そして、前記ラッチ４とシャフト５は、前記扉１の背面で遊端側の上下コーナー部に係合させて取付けた軸受部材６，６で回動可能に支持している。尚、上下の軸受部材６，６は、鏡像対称形である。
【００２１】
本発明は、筐体１の前面開口部に開閉可能に設ける扉の遊端側の上下部に、筐体１の上下框部７，８に係脱するラッチ４，４を設け、引手３とシャフト５で連動させてラッチ４を回動してなる扉におけるラッチシャフトの軸受装置であって、前記シャフト５を扉２の背面側の縁部に沿って回転可能に支持する軸受部材６は、扉２の上又は下縁部９に係合する水平部１１と、扉２の側縁部１０に係合する垂直部１２を有する略Ｌ字状であり、扉２の側縁部１０に軸受部材６の垂直部１２を噛合させて上下方向の変位を規制してなることを特徴としている。
【００２２】
更に詳しくは、前記扉２は、表面板１３の周囲を背面側に折曲して縁板１４を形成するとともに、縁板１４の後縁を直角に折曲して補強板１５を形成し、更に少なくとも側部の補強板１５の内縁を表面板１３に向かって折曲して折曲板１６を形成した構造である。本実施形態では、全周に折曲板１６を形成して、扉２の剛性を高めている。そして、前記軸受部材６の水平部１１に対応する位置の上又は下縁部９の折曲板１６は切欠するとともに、更に前記ラッチ４の可動範囲を確保するために上又は下縁部９の補強板１５の一部に切欠部１７を形成している。
【００２３】
前記軸受部材６は、図４〜図８に示すように、合成樹脂製の一体成形物であり、前述のように水平部１１と垂直部１２を有し、前記扉２のコーナー部に係合のみで取付けることができるようになっている。前記扉２の側縁部１０の折曲板１６の上下に二つの係合凹部１８，１８を形成し、前記折曲板１６の下縁も係合縁１９となっている。前記軸受部材６の垂直部１２に前記折曲板１６を受け入れる凹段部２０を形成し、該凹段部２０に前記係合凹部１８，１８に係合する係合凸部２１，２１を形成するとともに、前記凹段部２０の下端に前記係合縁１９と下縁部９の縁板１４との間に係合する突起２２を形成している。尚、前記係合凹部１８は少なくとも１つあれば良く、前記突起２２も省略できる。ここで、前記係合凸部２１，２１と突起２２の上面は、先端に向けて下降した傾斜部２３となっており、前記軸受部材６を左右方向、若しくは斜め上方からコーナー部にスライドさせて、前記係合凸部２１，２１と突起２２をそれぞれ前記係合凹部１８，１８と係合縁１９に係合できるように構成している。前記傾斜部２３は、本発明の扉２の上下縁部の変形防止の機能において特に必要ではないが、前記軸受部材６を前記扉２のコーナー部に係合させる作業において邪魔になる部位を切除したことにより形成されたものである。
【００２４】
前記軸受部材６の水平部１１と垂直部１２は、それぞれ下縁部９と側縁部１０の縁板１４に接合する位置まで係合するが、抜け止め構造として、先ず前記扉２の下縁部９の補強板１５に係合穴２４を形成するとともに、前記水平部１１の先端部に前記係合穴２４に係合する弾性爪２５を突設している。更に、前記軸受部材６の垂直部１２の凹段部２０内で、前記係合凸部２１，２１の間及び前記突起２２と下側の係合凸部２１の間に、前記係合凹部１８，１８内の折曲板１６の端縁に係止する係止爪２６，２６を形成している。
【００２５】
そして、前記軸受部材６の水平部１１の内部に側方へ開口した収容空間２７を形成し、該収容空間２７に対応する上下板部２８，２８に前記ラッチ４の基部の上下に突設した軸部２９，２９を回動可能に係合する軸受孔３０，３０を形成し、前記ラッチ４の基部を前記収容空間２７に位置させるとともに、前記軸部２９，２９を軸受孔３０，３０に係合させた状態で、前記軸部２９に貫通形成した連結孔３１に、角棒からなる前記シャフト５の端部を供回り不能に嵌挿する。
【００２６】
前記軸受部材６の水平部１１の収容空間２７に、上下に軸部２９，２９を突設したラッチ４の基部を無理嵌めするが、この際に収容空間２７の内面に軸部２９，２９を誘い込む傾斜したガイド面を形成することも好ましい。本実施形態では、前記収容空間２７の下側板部２８が弾性変形し易いように、図７に示すように、前記軸受孔３０の両側に側端から内部へスリット３２，３２を形成している。ここで、前記ラッチ４は、先端部から前記軸受部材６のスリット３２，３２を設けた側から収容空間２７に挿入し、下側の板部２８を弾性変形させながら、上下の軸部２９，２９を該収容空間２７に圧入するのである。そして、前記軸受部材６の水平部１１に傾動可能に装着した前記ラッチ４の軸部２９，２９に形成した連結孔３１に前記シャフト５の端部を嵌挿するのであるが、前記軸受部材６を前記扉２のコーナー部に係合させる際には、前記シャフト５の端部を貫通させて、若干軸受部材６を上方に位置させて、前記垂直部１２を側縁部１０の所定位置に係合する作業時に、シャフト５に対して連結孔３１を滑らせながら該軸受部材６を下げるのである。
【００２７】
上側のコーナー部に軸受部材６を取付ける場合も同様である。前記扉２の上下コーナー部の形状も鏡像対称形であり、全く同様にして軸受部材６を係合のみで取付けることができる。
【００２８】
このように、前記扉２の背面で遊端側に沿って前記シャフト５を上下の軸受部材６，６を用いて回動可能に支持した後、前記引手３や施錠装置を組み込んだ操作ユニット３３を扉２の背面に取付けるが、この際に前記シャフト５の中間位置にシャフト５に対して回転不能に外嵌した連動部材（図示せず）とシャフト５の中間部を前記操作ユニット３３の内部に受け入れて、前記引手３と連動部材が連係し、該引手３を手前に引く動作で前記ラッチ４が筐体１の上下框部７，８の係合孔３４，３４に対する係合が解除される方向に回転するようになっている。
【符号の説明】
【００２９】
Ａ  キャビネット、
１  筐体、            ２  扉、
３  引手、            ４  ラッチ、
５  シャフト、        ６  軸受部材、
７  上框部、          ８  下框部、
９  下縁部、          １０  側縁部、
１１  水平部、        １２  垂直部、
１３  表面板、        １４  縁板、
１５  補強板、        １６  折曲板、
１７  切欠部、        １８  係合凹部、
１９  係合縁、        ２０  凹段部、
２１  係合凸部、      ２２  突起、
２３  傾斜部、        ２４  係合穴、
２５  弾性爪、        ２６  係止爪、
２７  収容空間、      ２８  板部、
２９  軸部、          ３０  軸受孔、
３１  連結孔、        ３２  スリット、
３３  操作ユニット、  ３４  係合孔。
【図１】
0006724313.tif 000002
【図２】
0006724313.tif 000003
【図３】
0006724313.tif 000004
【図４】
0006724313.tif 000005
【図５】
0006724313.tif 000006
【図６】
0006724313.tif 000007
【図７】
0006724313.tif 000008
【図８】
0006724313.tif 000009